(57)【要約】      （修正有）【課題】有線通信と無線通信を組み合わせて、異なるエリアで電化製品を統一的に制御できるマルチエリア式インテリジェント電化製品制御システムを提供する。【解決手段】マルチエリア式インテリジェント電化製品制御システムは、第１のエリアに配置される第１の制御装置グループＳ１、第１のランプデバイスグループ、第１のＢｌｕｅｔｏｏｔｈ赤外線制御装置グループ、第２のエリアに配置される第２の制御装置グループＳ２、第２のランプデバイスグループ、及び第２のＢｌｕｅｔｏｏｔｈ赤外線制御装置グループを含む。移動装置は、Ｂｌｕｅｔｏｏｔｈ制御信号をサーバーに送信して、第１の制御装置グループ又は第２の制御装置グループにおける第２の通信経路Ｐ２と、第１のＢｌｕｅｔｏｏｔｈ赤外線制御装置グループ又は第２のＢｌｕｅｔｏｏｔｈ赤外線制御装置グループとを介して、電気デバイスを制御する。【選択図】図１
0003225242.tif 000002
【実用新案登録請求の範囲】
【請求項１】
Ｂｌｕｅｔｏｏｔｈ制御モジュールと、駆動モジュールと、シーケンス制御モジュールとをそれぞれに含み、互いに電気的に接続された複数の第１の制御装置、を備える第１の制御装置グループと、
前記複数の第１の制御装置のいずれか１つが電気的に接続された前記複数の第１のランプデバイスをそれぞれに含み、第１のエリアに配置される、第１のランプデバイスグループと、
前記複数の第１の制御装置のいずれか１つが電気的に接続された複数の第１のＢｌｕｅｔｏｏｔｈ赤外線制御装置を備える第１のＢｌｕｅｔｏｏｔｈ赤外線制御装置グループと、
Ｂｌｕｅｔｏｏｔｈ制御モジュールと、駆動モジュールと、シーケンス制御モジュールとをそれぞれに含み、互いに電気的に接続された複数の第２の制御装置を備える、第２の制御装置グループと、
前記複数の第２の制御装置のいずれか１つが電気的に接続された複数の第２のランプデバイスをそれぞれに含み、第２のエリアに配置された第２のランプデバイスグループと、
前記複数の第２の制御装置のいずれか１つが電気的に接続された複数の第２のＢｌｕｅｔｏｏｔｈ赤外線制御装置をそれぞれに含む第２のＢｌｕｅｔｏｏｔｈ赤外線制御装置グループと、を具備する
マルチエリア式インテリジェント電化製品制御システムであって、
前記複数の第１の制御装置のそれぞれにおける前記シーケンス制御モジュールは、前記複数の第１の制御装置のそれぞれにおける前記Ｂｌｕｅｔｏｏｔｈ制御モジュール、及び前記複数の第１の制御装置のそれぞれにおける前記駆動モジュールに電気的に接続され、
前記複数の第２の制御装置のそれぞれにおける前記シーケンス制御モジュールは、前記複数の第２の制御装置のそれぞれにおける前記Ｂｌｕｅｔｏｏｔｈ制御モジュール及び前記複数の第１の制御装置のそれぞれにおける前記駆動モジュールに電気的に接続され、
前記第２の制御装置グループにおける任意の１つ前記第２の制御装置は、前記第１の制御装置グループにおける任意の１つ前記第１の制御装置に電気的に接続され、
前記複数の第１のＢｌｕｅｔｏｏｔｈ赤外線制御装置のそれぞれは、制御対象となる電気デバイスを制御するように第１の赤外線信号を送信し、前記複数の第２のＢｌｕｅｔｏｏｔｈ赤外線制御装置のそれぞれは、制御対象となる別の電気デバイスを制御するように第２の赤外線信号を送信し、
前記第１の制御装置グループ及び前記第２の制御装置グループはそれぞれ、サーバーと通信できるように接続され、
前記第１のエリアと前記第２のエリアとは、異なるエリアであり、
前記第１の制御装置グループ又は前記第２の制御装置グループにおいて、前記複数の第１の制御装置のそれぞれ、及び前記複数の第２の制御装置のそれぞれは、第１の通信経路、又は第２の通信経路を介して信号を伝送するように構成され、
前記サーバーは、移動装置から送信されたランプ制御信号を受信し、前記ランプ制御信号は、前記第１の制御装置グループ又は前記第２の制御装置グループに設けられる前記第１の通信経路を介して、少なくとも前記第１のランプデバイスグループにおける前記複数の第１のランプデバイスのいずれか１つ、前記第２のランプデバイスグループにおける前記複数の第２のランプデバイスのいずれか１つ、前記電気デバイス、又は前記別の電気デバイスを制御し、
前記サーバーは、前記移動装置から送信されたＢｌｕｅｔｏｏｔｈ制御信号を受信し、前記Ｂｌｕｅｔｏｏｔｈ制御信号は、前記第１の制御装置グループ又は前記第２の制御装置グループに設けられる前記第２の通信経路と、前記第１のＢｌｕｅｔｏｏｔｈ赤外線制御装置グループ又は第２のＢｌｕｅｔｏｏｔｈ赤外線制御装置グループとを介して、前記別の電気デバイスを制御する、ことを特徴とする、マルチエリア式インテリジェント電化製品制御システム。
【請求項２】
ゲートウェイデバイスを介して、前記制御信号を前記第１の制御装置グループ又は前記第２の制御装置グループに送信する、請求項１に記載のマルチエリア式インテリジェント電化製品制御システム。
【請求項３】
前記第１の制御装置のそれぞれにおける前記シーケンス制御モジュールは、ＲＳ４８５シーケンス制御モジュール、又はＲＳ２３２シーケンス制御モジュールである、請求項１に記載のマルチエリア式インテリジェント電化製品制御システム。
【請求項４】
前記第１の制御装置のそれぞれは、自身の前記シーケンス制御モジュールによって別の前記第１の制御装置と電気的に接続し、前記第２の制御装置のそれぞれは、自身の前記シーケンス制御モジュールによって別の前記第２の制御装置と電気的に接続し、第１のＢｌｕｅｔｏｏｔｈデバイスは、前記複数の第１の制御装置のいずれか１つにおける前記Ｂｌｕｅｔｏｏｔｈ制御モジュール又は前記複数の第１のＢｌｕｅｔｏｏｔｈ赤外線制御装置のいずれか１つに通信できるように接続される、請求項１に記載のマルチエリア式インテリジェント電化製品制御システム。
【請求項５】
前記第１のＢｌｕｅｔｏｏｔｈ赤外線制御装置グループにおける前記複数の第１のＢｌｕｅｔｏｏｔｈ赤外線制御装置は、それらと対応する電気的に接続されている前記複数の第１の制御装置によって駆動電源が提供される、請求項１に記載のマルチエリア式インテリジェント電化製品制御システム。
【考案の詳細な説明】
【技術分野】
【０００１】
本考案は、電化製品制御システムに関し、特に有線通信と無線通信を組み合わせるマルチエリア式インテリジェント電化製品制御システムに関する。
【背景技術】
【０００２】
従来の電気制御システムは、無線通信プロトコルが異なるために電源が適切に供給されず、異なるエリアで電化製品を統一的に制御すること、又は正確な制御を実現することは不可能である。
【０００３】
そのため、有線通信と無線通信を組み合わせるマルチエリア式インテリジェント電化製品制御システムを提供することは、業界にとって重要な課題となる。
【考案の概要】
【考案が解決しようとする課題】
【０００４】
本考案が解決しようとする課題では、既存技術の不足に対して、マルチエリア式インテリジェント電化製品制御システムを提供する。
【課題を解決するための手段】
【０００５】
上記の技術的課題を解決するために、本考案に、第１の制御装置グループ、第１のランプデバイスグループ、第１のＢｌｕｅｔｏｏｔｈ（登録商標）赤外線制御装置グループ、第２の制御装置グループ、第２のランプデバイスグループ、及び第２のＢｌｕｅｔｏｏｔｈ赤外線制御装置グループを含むマルチエリア式インテリジェント電化製品制御システムを提供する方法が採用される。前記第１の制御装置グループは、複数の第１の制御装置を含み、複数の第１の制御装置のそれぞれは、シーケンス制御モジュール、Ｂｌｕｅｔｏｏｔｈ制御モジュール、及び駆動モジュールを含む。前記複数の第１の制御装置のそれぞれにおける前記シーケンス制御モジュールは、前記複数の第１の制御装置のそれぞれにおける前記Ｂｌｕｅｔｏｏｔｈ制御モジュールと電気的に接続される。なかでも、前記複数の第１の制御装置のそれぞれは互いに電気的に接続される。前記複数の第１の制御装置における前記シーケンス制御モジュールは、前記複数の第１の制御装置のそれぞれにおける前記駆動モジュールと電気的に接続される。前記一第１のランプデバイスグループは、第１のエリアに配置される。前記第１のランプデバイスグループは、複数の第１のランプデバイスを含む。前記第１のランプデバイス毎は、前記複数の第１の制御装置のいずれか１つに電気的に接続される。前記第１のＢｌｕｅｔｏｏｔｈ赤外線制御装置グループは、複数の第１のＢｌｕｅｔｏｏｔｈ赤外線制御装置を含む。第１のＢｌｕｅｔｏｏｔｈ赤外線制御装置毎は、前記複数の第１の制御装置のいずれか１つに電気的に接続される。なかでも、第１のＢｌｕｅｔｏｏｔｈ赤外線制御装置毎は、電気デバイスを制御するために第１の赤外線信号を送信する。前記第２の制御装置グループは、複数の第２の制御装置を含み、前記複数の第２の制御装置は互いに電気的に接続される。第２の制御装置毎は、シーケンス制御モジュール、Ｂｌｕｅｔｏｏｔｈ制御モジュール、及び駆動モジュールを含む。前記第２の制御装置毎における前記シーケンス制御モジュールは、前記第２の制御装置毎の前記Ｂｌｕｅｔｏｏｔｈ制御モジュールに電気的に接続される。なかでも、前記第２の制御装置毎の前記シーケンス制御モジュールは、前記第２の制御装置毎の前記駆動モジュールに電気的に接続される。なかでも、前記第２の制御装置グループにおける前記複数の第２の制御装置のいずれか１つは、前記第１の制御装置グループにおける前記複数の第１の制御装置のいずれか１つに電気的に接続される。前記第２のランプデバイスグループは、第２のエリアに配置される。前記第２のランプデバイスグループは、複数の第２のランプデバイスを含む。前記第２のランプデバイス毎は、前記複数の第２の制御装置のいずれか１つに電気的に接続される。前記第２のＢｌｕｅｔｏｏｔｈ赤外線制御装置グループは、複数の第２のＢｌｕｅｔｏｏｔｈ赤外線制御装置を含み、第２のＢｌｕｅｔｏｏｔｈ赤外線制御装置毎は、前記複数の第２の制御装置のいずれか１つに電気的に接続される。なかでも、第２のＢｌｕｅｔｏｏｔｈ赤外線制御装置毎は、別の電気デバイスを制御するために、第２の赤外線信号を送信する。なかでも、前記第１の制御装置グループ及び前記第２の制御装置グループは、それぞれサーバーに電気的に接続される。なかでも、前記第１のエリアと前記第２のエリアとは異なるエリアである。なかでも、移動装置は、ランプ制御信号を前記サーバーに送信して、前記第１の制御装置グループ又は前記第２の制御装置グループにおける第１の通信経路を介して、少なくとも前記第１のランプデバイスグループにおける前記複数の第１のランプデバイスのいずれか１つと、前記第２のランプデバイスグループにおける前記複数の第２のランプデバイスのいずれか１つと、前記電気デバイス、又は前記別の電気デバイスを制御する。なかでも、前記移動装置は、Ｂｌｕｅｔｏｏｔｈ制御信号を前記サーバーに送信し、前記第１の制御装置グループ又は前記第２の制御装置グループにおける第２の通信経路と、前記第１のＢｌｕｅｔｏｏｔｈ赤外線制御装置グループ又は第２のＢｌｕｅｔｏｏｔｈ赤外線制御装置グループとを介して、前記別の電気デバイスを制御する。
【考案の効果】
【０００６】
本考案による有益な効果の１つとしては、本考案に係るマルチエリア式インテリジェント電化製品制御システムは、制御装置毎におけるシーケンス制御モジュール及びＢｌｕｅｔｏｏｔｈ制御モジュールを、複数のＢｌｕｅｔｏｏｔｈ赤外線制御装置と合わせることにより、異なるシリアル通信経路によって、信号の伝送を行って、それにより、通信効率を改善し、信号の干渉を減らして、さらにクロスエリアの有線または無線方式で信号伝送を伝送し、速く電化製品を制御する目的を達する。
【図面の簡単な説明】
【０００７】
【図１】本考案の第１の実施形態によるマルチエリア式インテリジェント電化製品制御システムを示す模式図である。
【図２】本考案の第２の実施形態によるマルチエリア式インテリジェント電化製品制御システムを示す別の模式図である。
【図３】本考案の実施形態による第１の制御装置を示す模式図である。
【図４】本考案の実施形態によるマルチエリア式インテリジェント電化製品制御システムが第１のエリアに配置される部分を示す模式図である。
【図５】本考案の実施形態によるマルチエリア式インテリジェント電化製品制御システムが第１のエリアに配置される別の部分を示す模式図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００９】
下記より、具体的な実施例で本考案が開示する「マルチエリア式インテリジェント電化製品制御システム」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１０】
なお、本明細書において「第１」、「第２」、「第３」等の用語で各種の部品又は信号を説明する可能性があるが、これらの部品又は信号はこれらの用語によって制限されるものではない。これらの用語は、主として一つの部品と別の部品、又は一つの信号と別の信号を区分するためのものであることが理解されたい。また、本明細書に用いられる「又は」という用語は、実際の状況に応じて、関連する項目中の何れか一つ又は複数の組合せを含み得る。そして、本考案におけるＢｌｕｅｔｏｏｔｈ、Ｗｉ−Ｆｉ、Ｚｉｇｂｅｅ、Ｓｉｇｆｏｘは、いずれも登録商標である。
【００１１】
図１を参照する。図１は、本考案の実施形態によるマルチエリア式インテリジェント電化製品制御システムを示す模式図である。図２は、本考案の実施形態によるマルチエリア式インテリジェント電化製品制御システムを示す別の模式図である。
【００１２】
本実施形態において、マルチエリア式インテリジェント電化製品制御システム１は、第１の制御装置グループＳ１、第２の制御装置グループＳ２、及び第３の制御装置グループＳ３を含む。第１の制御装置グループＳ１、第２の制御装置グループＳ２、及び第３の制御装置グループＳ３は、それぞれ第１のエリアＡ１、第２のエリアＡ２、及び第３のエリアＡ３に配置される。第１のエリアＡ１、第２のエリアＡ２、及び第３のエリアＡ３は、それぞれ異なるエリアである。エリアの数量は実際のニーズに応じて調整し得て、本考案には制限されない。
【００１３】
本実施形態において、制御装置グループ毎には、複数の制御装置が含まれる。制御装置毎には、連番が付されている。前記複数の制御装置は、所定の順番で配列される。図１に示すように、この実施形態では、制御装置は、制御装置毎に付けられた連番の大きさに従って配列される。本実施形態において、さらに前記複数の制御装置を環状に配列する。別の実施形態では、他の配列方法で前記複数の制御装置を配列してもよいが、本考案はそれに制限されない。さらに言えば、前記複数の制御装置は、配列された順番で順次に信号を伝送するようになる。
【００１４】
本実施形態において、第１の制御装置グループＳ１は、複数の制御装置Ｓ１−１〜Ｓ１−１２を含み、前記複数の制御装置Ｓ１−１〜Ｓ１−１２はそれぞれ第１の通信経路Ｐ１、及び第２の通信経路Ｐ２を介してタイプの違う信号を伝送する。第２の制御装置グループＳ２は、複数の制御装置Ｓ２−１〜Ｓ２−１２を含み、前記複数の制御装置Ｓ２−１〜Ｓ２−１２も第１の通信経路Ｐ１、及び第２の通信経路Ｐ２を介して、タイプの違う信号を伝送する。第３の制御装置グループＳ３は、複数の制御装置Ｓ３−１〜Ｓ３−１２を含み、前記複数の制御装置Ｓ３−１〜Ｓ３−１２はそれぞれ第１の通信経路Ｐ１、及び第２の通信経路Ｐ２を介して、タイプの違う信号を伝送する。制御装置グループ毎における制御装置の数量は、実際のニーズに応じて調整でき、本考案はそれに制限されない。
【００１５】
図２を参照する。図２は、本考案の第２の実施形態に係るマルチエリア式インテリジェント電化製品制御システムを示す別の模式図である。
【００１６】
本実施形態において、マルチエリア式インテリジェント電化製品制御システム２は、第１の制御装置グループＳ１’、第２の制御装置グループＳ２’、及び第３の制御装置グループＳ３’を含む。本実施形態において、第１の制御装置グループＳ１’、第２の制御装置グループＳ２’、及び第３の制御装置グループＳ３’は、第１のエリア（図示しない）、第２のエリア（図示しない）、及び第３のエリア（図示しない）に、それぞれ配置される。第１のエリア（図示しない）、第２のエリア（図示しない）、及び第３のエリア（図示しない）は、それぞれ別々のエリアである。
【００１７】
本実施形態において、第１の制御装置グループＳ１’は、五つの第１の制御装置Ｓ１−１’〜Ｓ１−５’を含む。第２の制御装置グループＳ２’は、五つの第２の制御装置Ｓ２−１’〜Ｓ２−５’を含む。第３の制御装置グループＳ３’は、六つの第３の制御装置Ｓ３−１’〜Ｓ３−５’を含む。
【００１８】
なかでも、実施形態に示したように、第１の制御装置Ｓ１−１’〜Ｓ１−５’は互いに電気的に接続される。第２の制御装置Ｓ２−１’〜Ｓ２−５’は互いに電気的に接続される。第３の制御装置Ｓ３−１’〜Ｓ３−６’は互いに電気的に接続される。
【００１９】
本実施形態において、マルチエリア式インテリジェント電化製品制御システム１’は、さらに第１のランプデバイスグループ（図示しない）、及び第２のランプデバイスグループ（図示しない）、及び第３のランプデバイスグループ（図示しない）を含む。第１のランプデバイスグループ（図示しない）は、第１のランプデバイスＴ１−１’〜Ｔ１−４’を含む。第２のランプデバイスグループ（図示しない）は、第２のランプデバイスＴ２−１’〜Ｔ２−４’を含む。第３のランプデバイスグループ（図示しない）は、第３のランプデバイスＴ３−１’〜Ｔ３−５’を含む。本実施形態において、第１のランプデバイスＴ１−１’〜Ｔ１−４’、第２のランプデバイスＴ２−１’〜Ｔ２−４’、及び第３のランプデバイスＴ３−１’〜Ｔ３−５’は、いずれも発光ダイオードランプデバイスである。しかし、第１のランプデバイスＴ１−１’〜Ｔ１−４’、第２のランプデバイスＴ２−１’〜Ｔ２−４’、及び第３のランプデバイスＴ３−１’〜Ｔ３−５’のいずれにも、ＤＣまたはＡＣ駆動回路が含まれていない。
【００２０】
本実施形態において、第１の制御装置Ｓ１−１’〜Ｓ１−４’は、それぞれ第１のランプデバイスＴ１−１’〜Ｔ１−４’に電気的に接続される。第２の制御装置Ｓ２−１’〜Ｓ２−４’は、それぞれ第２のランプデバイスＴ２−１’〜Ｔ２−４’に電気的に接続される。第３の制御装置Ｓ３−１’〜Ｓ３−５’は、それぞれ第３のランプデバイスＴ３−１’〜Ｔ３−５’に電気的に接続される。
【００２１】
言い換えれば、第１の制御装置Ｓ１−５’、第２の制御装置Ｓ２−５’、及び第３の制御装置Ｓ３−６’は、ランプデバイスに電気的に接続されていない。本実施形態において、各制御装置は実際のニーズに応じてランプデバイス、Ｂｌｕｅｔｏｏｔｈ赤外線制御モジュール、又は別のブルートゥースデバイスのいずれかに電気的に接続でき、本考案はそれに制限されない。
【００２２】
本実施形態において、マルチエリア式インテリジェント電化製品制御システム１’は、第１のＢｌｕｅｔｏｏｔｈ赤外線制御装置グループＢＲ１’、第２のＢｌｕｅｔｏｏｔｈ赤外線制御装置グループＢＲ２’、及び第３のＢｌｕｅｔｏｏｔｈ赤外線制御装置グループＢＲ３’をさらに備える。本実施形態において、第１のＢｌｕｅｔｏｏｔｈ赤外線制御装置グループＢＲ１’、第２のＢｌｕｅｔｏｏｔｈ赤外線制御装置グループＢＲ２’、及び第３のＢｌｕｅｔｏｏｔｈ赤外線制御装置グループＢＲ３’は、それぞれ第１のＢｌｕｅｔｏｏｔｈ赤外線制御装置ＢＲ１−１’〜ＢＲ３−１’、及び第２のＢｌｕｅｔｏｏｔｈ赤外線制御装置ＢＲ１−２’〜ＢＲ３−２’を含む。
【００２３】
本実施形態において、第１のＢｌｕｅｔｏｏｔｈ赤外線制御装置グループＢＲ１’と、第２のＢｌｕｅｔｏｏｔｈ赤外線制御装置グループＢＲ２’と、第３のＢｌｕｅｔｏｏｔｈ赤外線制御装置グループＢＲ３’とにおける第１のＢｌｕｅｔｏｏｔｈ赤外線制御装置ＢＲ１−１’〜ＢＲ３−１’及び第２のＢｌｕｅｔｏｏｔｈ赤外線制御装置ＢＲ１−２’〜ＢＲ３−２’は、それぞれ第１の制御装置Ｓ１−２’、第２の制御装置Ｓ２−２’、及び第３の制御装置Ｓ３−２’に電気的に接続される。本実施形態において、Ｂｌｕｅｔｏｏｔｈ赤外線制御装置は、Ｂｌｕｅｔｏｏｔｈ制御信号を受信するために用いられるか、又は赤外線受信モジュールを有する電気デバイスを制御するように、Ｂｌｕｅｔｏｏｔｈ制御信号又は制御信号を受信してからそれを赤外線制御信号に転換するように用いられている。
【００２４】
本実施形態において、電気デバイス（図示しない）を制御するために、第１のＢｌｕｅｔｏｏｔｈ赤外線制御装置ＢＲ１−１’〜ＢＲ３−１’及び第２のＢｌｕｅｔｏｏｔｈ赤外線制御装置ＢＲ１−２’〜ＢＲ３−２’は、それぞれ第１の赤外線信号又は第２の赤外線信号を提供することができる。
【００２５】
図３を参照する。図３は、本考案の実施形態に係る第１の制御装置を示す模式図である。本実施形態において、第１の制御装置Ｓ１−１’を例示するのみで、他の制御装置の構成や機能は第１の制御装置Ｓ１−１’と同じであるが、本考案はそれに制限されない。
【００２６】
本実施形態において、第１の制御装置Ｓ１−１’は、シーケンス制御モジュールＳ１−１００’、Ｂｌｕｅｔｏｏｔｈ制御モジュールＳ１−１０１’、及び駆動モジュールＳ１−１０２’を含む。第１の制御装置Ｓ１−１’のシーケンス制御モジュールＳ１−１００’は、第１の制御装置Ｓ１−１’のＢｌｕｅｔｏｏｔｈ制御モジュールＳ１−１０１’に電気的に接続される。第１の制御装置Ｓ１−１’のシーケンス制御モジュールＳ１−１００’は、第１の制御装置Ｓ１−１’の駆動モジュールＳ１−１０２’に電気的に接続される。同じように、第１の制御装置Ｓ１−２’〜Ｓ１−５’のシーケンス制御モジュール（図示しない）は、第１の制御装置Ｓ１−２’〜Ｓ１−５’のＢｌｕｅｔｏｏｔｈ制御モジュール（図示しない）に電気的に接続される。第１の制御装置Ｓ１−２’〜Ｓ１−５’のシーケンス制御モジュール（図示しない）は、第１の制御装置Ｓ１−２’〜Ｓ１−５’の駆動モジュール（図示しない）に電気的に接続される。
【００２７】
別の実施形態において、同じエリアにおける制御装置では、１つの制御装置のみにＢｌｕｅｔｏｏｔｈ制御モジュール（図示しない）が配置され、他の制御装置にＢｌｕｅｔｏｏｔｈ制御モジュールが配置されなくてもよい。即ち、信号を伝送することは、主にシーケンス制御モジュールで果たすことを意味している。
【００２８】
同じように、第２の制御装置Ｓ２−１’〜Ｓ２−５’のシーケンス制御モジュール（図示しない）は、第２の制御装置Ｓ２−１’〜Ｓ２−５’のＢｌｕｅｔｏｏｔｈ制御モジュール（図示しない）に電気的に接続される。第２の制御装置Ｓ２−１’〜Ｓ２−５’のシーケンス制御モジュール（図示しない）は、第２の制御装置Ｓ２−１’〜Ｓ２−５’の駆動モジュール（図示しない）に電気的に接続される。第３の制御装置Ｓ３−１’〜Ｓ３−６’のシーケンス制御モジュール（図示しない）は、第３の制御装置Ｓ３−１’〜Ｓ３−６’のＢｌｕｅｔｏｏｔｈ制御モジュール（図示しない）に電気的に接続される。第３の制御装置Ｓ３−１’〜Ｓ３−６’のシーケンス制御モジュール（図示しない）は、第３の制御装置Ｓ３−１’〜Ｓ３−６’の駆動モジュール（図示しない）に電気的に接続される。
【００２９】
本実施形態において、第１の制御装置グループＳ１’、第２の制御装置グループＳ２’、及び第３の制御装置グループＳ３’は、ゲートウェイデバイス２’を介して、サーバー９’に通信できるように接続される。
【００３０】
即ち、使用者は、移動装置（図示しない）によって、制御信号をサーバー９’に送信することができる。サーバー９’は、第１のランプデバイスＴ１−１’〜Ｔ１−４’、第２のランプデバイスＴ２−１’〜Ｔ２−４’、第３のランプデバイスＴ３−１’〜Ｔ３−５’、及び電気デバイス（図示しない）の任意の１つを制御するために、ゲートウェイデバイス２’を通して制御信号を第１の制御装置グループＳ１’、第２の制御装置グループＳ２’、又は第３の制御装置グループＳ３’に送信することができる。
【００３１】
使用者は、移動装置（図示しない）によってＢｌｕｅｔｏｏｔｈ制御信号を第１のＢｌｕｅｔｏｏｔｈ赤外線制御装置ＢＲ１−１’〜ＢＲ３−１’又は第２のＢｌｕｅｔｏｏｔｈ赤外線制御装置ＢＲ１−２’〜ＢＲ３−２’に送信して、そして、第１の制御装置グループＳ１’、第２の制御装置グループＳ２’、又は第３の制御装置グループＳ３’におけるシーケンス制御モジュールにより、信号を送信し、それにより、第１のランプデバイスＴ１−１’〜Ｔ１−４’、第２のランプデバイスＴ２−１’〜Ｔ２−４’、第３のランプデバイスＴ３−１’〜Ｔ３−５’、及び電気デバイス（図示しない）の任意の１つを制御することができる。詳しく言えば、本実施形態において、使用者は、第１のエリア（図示しない）、第２のエリア（図示しない）、及び第３のエリア（図示しない）によって、電化製品の制御を行う。
【００３２】
本実施形態において、サーバー９’は、第１の通信プロトコルとゲートウェイデバイス２’とを通して通信接続を行う。本実施形態において、サーバー９’は、ローカル側または遠隔端で設定でき、本考案はそれに制限されない。
【００３３】
本実施形態において、第１の通信プロトコルは、Ｗｉ−Ｆｉプロトコル（Ｗｉ−Ｆｉ、登録商標）、Ｚｉｇｂｅｅプロトコル（Ｚｉｇｂｅｅ、登録商標）、Ｂｌｕｅｔｏｏｔｈプロトコル（Ｂｌｕｅｔｏｏｔｈ、登録商標）、ＬｏＲａ通信プロトコル、及びＳｉｇｆｏｘ（登録商標）通信プロトコルを含むが、それは実際のニーズに応じて本考案はそれに制限されない。
【００３４】
本実施形態において、第１のランプデバイスＴ１−１’〜Ｔ１−５’、第２のランプデバイスＴ２−１’〜Ｔ２−４’、及び第３のランプデバイスＴ３−１’〜Ｔ３−４’は、それぞれ第１の制御装置Ｓ１−１’〜Ｓ１−５’と、第２の制御装置Ｓ２−１’〜Ｓ２−５’と、第３の制御装置Ｓ３−１’〜Ｓ３−６’とにおける第１のシリアル通信経路により信号伝送を行う。
【００３５】
第１のＢｌｕｅｔｏｏｔｈ赤外線制御装置ＢＲ１−１’〜ＢＲ３−１’又は第２のＢｌｕｅｔｏｏｔｈ赤外線制御装置ＢＲ１−２’〜ＢＲ３−２’は、第１の制御装置Ｓ１−１’〜Ｓ１−５’と、第２の制御装置Ｓ２−１’〜Ｓ２−５’と、第３の制御装置Ｓ３−１’〜Ｓ３−６’とにおける第２のシリアル通信経路によって信号伝送を行う。本実施形態において、第１のシリアル通信経路及び第２のシリアル通信経路は、第１の制御装置Ｓ１−１’〜Ｓ１−５’と、第２の制御装置Ｓ２−１’〜Ｓ２−５’と、第３の制御装置Ｓ３−１’〜Ｓ３−６’とにおける複数のシーケンス制御モジュール（図示しない）の間にある異なる通信経路である。即ち、本実施形態において、第１の制御装置のそれぞれは、自身のシーケンス制御モジュールにより、別の第１の制御装置におけるシーケンス制御モジュールと電気接続を行う。同じように、第２の制御装置のそれぞれは、自身のシーケンス制御モジュールによって、別の第２の制御装置におけるシーケンス制御モジュールと電気接続を行う。第３の制御装置のそれぞれは、自身のシーケンス制御モジュールによって、別の第３の制御装置におけるシーケンス制御モジュールと電気接続を行う。
【００３６】
本実施形態において、第１の制御装置Ｓ１−１’〜Ｓ１−５’と、第２の制御装置Ｓ２−１’〜Ｓ２−５’と、第３の制御装置Ｓ３−１’〜Ｓ３−６’とにおけるシーケンス制御モジュールは、ＲＳ４８５シーケンス制御モジュール、又はＲＳ２３２シーケンス制御モジュールであってもよい。
【００３７】
本実施形態において、マルチエリア式インテリジェント電化製品制御システム１’における第３の制御装置グループＳ３’の第３の制御装置Ｓ３−６’におけるＢｌｕｅｔｏｏｔｈ通信モジュールは第１のＢｌｕｅｔｏｏｔｈデバイスＢＴ１’と通信接続している。即ち、第１のＢｌｕｅｔｏｏｔｈデバイスＢＴ１’は、独立したＢｌｕｅｔｏｏｔｈデバイスである。本実施形態において、第１のＢｌｕｅｔｏｏｔｈデバイスＢＴ１’は、第１のＢｌｕｅｔｏｏｔｈ赤外線制御装置ＢＲ３−１’、又は第２のＢｌｕｅｔｏｏｔｈ赤外線制御装置ＢＲ３−２’と、Ｂｌｕｅｔｏｏｔｈ通信プロトコルによって通信接続を行う。同じように、もし第１のＢｌｕｅｔｏｏｔｈ赤外線制御装置ＢＲ３−１’と、第２のＢｌｕｅｔｏｏｔｈ赤外線制御装置ＢＲ３−２’との間の距離が所定の無線通信距離よりも小さい場合、第１のＢｌｕｅｔｏｏｔｈ赤外線制御装置ＢＲ３−１’及び第２のＢｌｕｅｔｏｏｔｈ赤外線制御装置ＢＲ３−２’は、無線通信の手段により通信接続を行う。もし第１のＢｌｕｅｔｏｏｔｈ赤外線制御装置ＢＲ３−１’と第２のＢｌｕｅｔｏｏｔｈ赤外線制御装置ＢＲ３−２’との間の距離は所定の距離よりも大きい場合、第１のＢｌｕｅｔｏｏｔｈ赤外線制御装置ＢＲ３−１’と第２のＢｌｕｅｔｏｏｔｈ赤外線制御装置ＢＲ３−２’との間では、第３の制御装置Ｓ３−１’〜Ｓ３−６’のシーケンス制御モジュール（図示しない）の間の第２のシリアル通信経路により有線通信の手段で通信接続を行う。
【００３８】
即ち、使用者は、第３のエリア（図示しない）で第１のエリア（図示しない）の電気デバイスを制御しようとする場合、移動装置によって、制御信号を第３のエリア（図示しない）の第１のＢｌｕｅｔｏｏｔｈ赤外線制御装置ＢＲ３−１’、又は第２のＢｌｕｅｔｏｏｔｈ赤外線制御装置ＢＲ３−２’に送信する。そして、制御信号は、第３の制御装置Ｓ３−１’〜Ｓ３−６’のシーケンス制御モジュール（図示しない）の間にある第２のシリアル通信経路を通して第１のエリア（図示しない）における第１の制御装置グループＳ１’の第１の制御装置Ｓ１−５’に送信される。そして、対応する電気デバイスを制御するように制御信号は、第１のＢｌｕｅｔｏｏｔｈ赤外線制御装置ＢＲ１−１’、又は第２のＢｌｕｅｔｏｏｔｈ赤外線制御装置ＢＲ１−２’により赤外線制御信号に転換するために、第１の制御装置Ｓ１−１’〜Ｓ１−５’のシーケンス制御装置を介して、第１のエリア（図示しない）の第１のＢｌｕｅｔｏｏｔｈ赤外線制御装置ＢＲ１−１’、又は第２のＢｌｕｅｔｏｏｔｈ赤外線制御装置ＢＲ１−２’に送信される。
【００３９】
また、本実施形態において、第１の制御装置グループＳ１’の第１の制御装置Ｓ１−５’、第２の制御装置グループＳ２’の第２の制御装置Ｓ２−５’、及び第３の制御装置グループＳ３’の第３の制御装置Ｓ３−６’は、それぞれ第１の電源（図示しない）、第２の電源（図示しない）、及び第３の電源（図示しない）に電気的に接続される。それにより、第１の制御装置グループＳ１’、第２の制御装置グループＳ２’、及び第３の制御装置グループＳ３’に必要な駆動電源を受電する。本実施形態において、第１の制御装置グループＳ１’の第１の制御装置Ｓ１−５’は、シーケンス制御モジュールによって駆動電源を第１の制御装置Ｓ１−１’〜Ｓ１−４’に提供することができる。第２の制御装置グループＳ２’の第２の制御装置Ｓ２−５’も、シーケンス制御モジュールによって駆動電源を第２の制御装置Ｓ２−１’〜Ｓ２−４’に提供することができる。第３の制御装置グループＳ３’の第３の制御装置Ｓ３−６’は同様に、シーケンス制御モジュールによって駆動電源を第３の制御装置Ｓ３−１’〜Ｓ３−６’に提供することができる。
【００４０】
また、本実施形態において、第１のＢｌｕｅｔｏｏｔｈ赤外線制御装置ＢＲ１−１’〜ＢＲ３−１’、又は第２のＢｌｕｅｔｏｏｔｈ赤外線制御装置ＢＲ１−２’〜ＢＲ３−２’は、それぞれ第１の制御装置Ｓ１−２’、第１の制御装置Ｓ１−５’、第２の制御装置Ｓ２−２’、第２の制御装置Ｓ２−５’、及び第３の制御装置Ｓ３−２’から駆動電源が提供される。即ち、第１のＢｌｕｅｔｏｏｔｈ赤外線制御装置グループＢＲ１’における複数の第１のＢｌｕｅｔｏｏｔｈ赤外線制御装置は、それぞれと対応する電気的に接続される複数の第１の制御装置から駆動電源が提供される。
【００４１】
図４及び図５を参照する。図４は、本考案の実施形態によるマルチエリア式インテリジェント電化製品制御システムが第１のエリアに配置される部分を示す模式図である。図５は、本考案の実施形態によるマルチエリア式インテリジェント電化製品制御システムが第１のエリアに配置される別の部分を示す模式図である。
【００４２】
図４に示すように、使用者が、第１のエリアにおいて、移動装置によって制御信号を第１のＢｌｕｅｔｏｏｔｈ赤外線制御装置ＢＲ１−１’、又は第２のＢｌｕｅｔｏｏｔｈ赤外線制御装置ＢＲ１−２’に送信し、それにより、第１のエリアにおける電気デバイスＥ１−Ｅ５を制御する。図５において、第１のＢｌｕｅｔｏｏｔｈ赤外線制御装置ＢＲ１−１’、又は第２のＢｌｕｅｔｏｏｔｈ赤外線制御装置ＢＲ１−２’は、第１の制御装置Ｓ１−１’〜Ｓ１−５’におけるシーケンス制御モジュールの第２のシリアル通信経路ＳＷ２によって信号の伝送を行う。図５において、第１のＢｌｕｅｔｏｏｔｈ赤外線制御装置ＢＲ１−１’、又は第２のＢｌｕｅｔｏｏｔｈ赤外線制御装置ＢＲ１−２’は、無線通信によって信号の伝送を行ってもよい。
【００４３】
図５は、第１のエリアにおいて、第１のランプデバイスＴ１−１’〜Ｔ１−５’の制御信号が第１の制御装置Ｓ１−１’〜Ｓ１−５’におけるシーケンス制御モジュールの第１のシリアル通信経路ＳＷ１を通して伝送されることを示す模式図である。
【００４４】
本実施形態において、電気デバイスＥ１−Ｅ５は、赤外線制御モジュールを有する電気機械であり、即ち、電気デバイスＥ１−Ｅ５は、第１のＢｌｕｅｔｏｏｔｈ赤外線制御モジュールＢＲ１−１’、又は第２のＢｌｕｅｔｏｏｔｈ赤外線制御モジュールＢＲ１−２’から発出される赤外線制御信号を受信することにより、調整され、運転し、又は、運転を停止することができる。
［実施形態による有益な効果］
【００４５】
本考案による有益な効果の１つとしては、マルチエリア式インテリジェント電化製品制御システムは、制御装置毎のシーケンス制御モジュール及びＢｌｕｅｔｏｏｔｈ制御モジュールによって、複数のＢｌｕｅｔｏｏｔｈ赤外線制御装置と合わせて、異なるシリアル通信経路で信号を送信することにより、通信効率を改善し、信号の干渉を減らすのみならず、さらにクロスリージョンの有線通信又は無線通信によって、信号を伝送することにより、電気機械をすばやく制御する目的を達することができる。
【００４６】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００４７】
１：マルチエリア式インテリジェント電化製品制御システム
Ｓ１：第１の制御装置グループ
Ｓ２：第２の制御装置グループ
Ｓ３：第３の制御装置グループ
Ｓ１−１〜Ｓ１−１２、Ｓ１−１’〜Ｓ１−５’：第１の制御装置
Ｓ２−１〜Ｓ２−１２、Ｓ２−１’〜Ｓ２−５’：第２の制御装置
Ｓ３−１〜Ｓ３−１２、Ｓ３−１’〜Ｓ３−６’：第３の制御装置
Ｐ１：第１の通信経路
Ｐ２：第２の通信経路
ＢＲ１’：  第１のＢｌｕｅｔｏｏｔｈ赤外線制御装置グループ
ＢＲ２’：  第２のＢｌｕｅｔｏｏｔｈ赤外線制御装置グループ
ＢＲ３’：  第３のＢｌｕｅｔｏｏｔｈ赤外線制御装置グループ
ＢＲ１−１’〜ＢＲ３−１’：第１のＢｌｕｅｔｏｏｔｈ赤外線制御装置
ＢＲ１−２’〜ＢＲ３−２’：第２のＢｌｕｅｔｏｏｔｈ赤外線制御装置
Ｔ１−１’〜Ｔ１−５’：第１のランプデバイス
Ｔ２−１’〜Ｔ２−４’：第２のランプデバイス
Ｔ３−１’〜Ｔ３−５’：第３のランプデバイス
２’：ゲートウェイデバイス
９’：サーバー
Ｓ１−１００’：シーケンス制御モジュール
Ｓ１−１０１’：Ｂｌｕｅｔｏｏｔｈ制御モジュール
Ｓ１−１０２’：駆動モジュール
ＳＷ１：第１のシリアル通信経路
ＳＷ２：第２のシリアル通信経路
Ｅ１−Ｅ５：電気デバイス
ＢＴ１’：第１のＢｌｕｅｔｏｏｔｈデバイス
【図１】
0003225242.tif 000003
【図２】
0003225242.tif 000004
【図３】
0003225242.tif 000005
【図４】
0003225242.tif 000006
【図５】
0003225242.tif 000007
【手続補正書】
【提出日】令和1年8月9日(2019.8.9)
【手続補正１】
【補正対象書類名】実用新案登録請求の範囲
【補正対象項目名】全文
【補正方法】変更
【補正の内容】
【実用新案登録請求の範囲】
【請求項１】
Ｂｌｕｅｔｏｏｔｈ制御モジュールと、駆動モジュールと、シーケンス制御モジュールとをそれぞれに含み、互いに電気的に接続された複数の第１の制御装置、を備える第１の制御装置グループと、
前記複数の第１の制御装置のいずれか１つが電気的に接続された複数の第１のランプデバイスをそれぞれに含み、第１のエリアに配置される、第１のランプデバイスグループと、
前記複数の第１の制御装置のいずれか１つが電気的に接続された複数の第１のＢｌｕｅｔｏｏｔｈ赤外線制御装置を備える第１のＢｌｕｅｔｏｏｔｈ赤外線制御装置グループと、
Ｂｌｕｅｔｏｏｔｈ制御モジュールと、駆動モジュールと、シーケンス制御モジュールとをそれぞれに含み、互いに電気的に接続された複数の第２の制御装置を備える、第２の制御装置グループと、
前記複数の第２の制御装置のいずれか１つが電気的に接続された複数の第２のランプデバイスをそれぞれに含み、第２のエリアに配置された第２のランプデバイスグループと、
前記複数の第２の制御装置のいずれか１つが電気的に接続された複数の第２のＢｌｕｅｔｏｏｔｈ赤外線制御装置をそれぞれに含む第２のＢｌｕｅｔｏｏｔｈ赤外線制御装置グループと、を具備する
マルチエリア式インテリジェント電化製品制御システムであって、
前記複数の第１の制御装置のそれぞれにおける前記シーケンス制御モジュールは、前記複数の第１の制御装置のそれぞれにおける前記Ｂｌｕｅｔｏｏｔｈ制御モジュール、及び前記複数の第１の制御装置のそれぞれにおける前記駆動モジュールに電気的に接続され、
前記複数の第２の制御装置のそれぞれにおける前記シーケンス制御モジュールは、前記複数の第２の制御装置のそれぞれにおける前記Ｂｌｕｅｔｏｏｔｈ制御モジュール及び前記複数の第２の制御装置のそれぞれにおける前記駆動モジュールに電気的に接続され、
前記第２の制御装置グループにおける任意の１つ前記第２の制御装置は、前記第１の制御装置グループにおける任意の１つ前記第１の制御装置に電気的に接続され、
前記複数の第１のＢｌｕｅｔｏｏｔｈ赤外線制御装置のそれぞれは、制御対象となる電気デバイスを制御するように第１の赤外線信号を送信し、前記複数の第２のＢｌｕｅｔｏｏｔｈ赤外線制御装置のそれぞれは、制御対象となる別の電気デバイスを制御するように第２の赤外線信号を送信し、
前記第１の制御装置グループ及び前記第２の制御装置グループはそれぞれ、サーバーと通信できるように接続され、
前記第１のエリアと前記第２のエリアとは、異なるエリアであり、
前記第１の制御装置グループ又は前記第２の制御装置グループにおいて、前記複数の第１の制御装置のそれぞれ、及び前記複数の第２の制御装置のそれぞれは、第１の通信経路、又は第２の通信経路を介して信号を伝送するように構成され、
前記サーバーは、移動装置から送信されたランプ制御信号を受信し、前記ランプ制御信号は、前記第１の制御装置グループ又は前記第２の制御装置グループに設けられる前記第１の通信経路を介して、少なくとも前記第１のランプデバイスグループにおける前記複数の第１のランプデバイスのいずれか１つ、前記第２のランプデバイスグループにおける前記複数の第２のランプデバイスのいずれか１つ、前記電気デバイス、又は前記別の電気デバイスを制御し、
前記サーバーは、前記移動装置から送信されたＢｌｕｅｔｏｏｔｈ制御信号を受信し、前記Ｂｌｕｅｔｏｏｔｈ制御信号は、前記第１の制御装置グループ又は前記第２の制御装置グループに設けられる前記第２の通信経路と、前記第１のＢｌｕｅｔｏｏｔｈ赤外線制御装置グループ又は第２のＢｌｕｅｔｏｏｔｈ赤外線制御装置グループとを介して、前記別の電気デバイスを制御する、ことを特徴とする、マルチエリア式インテリジェント電化製品制御システム。
【請求項２】
ゲートウェイデバイスを介して、前記Ｂｌｕｅｔｏｏｔｈ制御信号又は前記ランプ制御信号を前記第１の制御装置グループ又は前記第２の制御装置グループに送信する、請求項１に記載のマルチエリア式インテリジェント電化製品制御システム。
【請求項３】
前記第１の制御装置のそれぞれにおける前記シーケンス制御モジュールは、ＲＳ４８５シーケンス制御モジュール、又はＲＳ２３２シーケンス制御モジュールである、請求項１に記載のマルチエリア式インテリジェント電化製品制御システム。
【請求項４】
前記第１の制御装置のそれぞれは、自身の前記シーケンス制御モジュールによって別の前記第１の制御装置と電気的に接続し、前記第２の制御装置のそれぞれは、自身の前記シーケンス制御モジュールによって別の前記第２の制御装置と電気的に接続し、第１のＢｌｕｅｔｏｏｔｈデバイスは、前記複数の第１の制御装置のいずれか１つにおける前記Ｂｌｕｅｔｏｏｔｈ制御モジュール又は前記複数の第１のＢｌｕｅｔｏｏｔｈ赤外線制御装置のいずれか１つに通信できるように接続される、請求項１に記載のマルチエリア式インテリジェント電化製品制御システム。
【請求項５】
前記第１のＢｌｕｅｔｏｏｔｈ赤外線制御装置グループにおける前記複数の第１のＢｌｕｅｔｏｏｔｈ赤外線制御装置は、それらと対応する電気的に接続されている前記複数の第１の制御装置によって駆動電源が提供される、請求項１に記載のマルチエリア式インテリジェント電化製品制御システム。
【手続補正書】
【提出日】令和1年12月13日(2019.12.13)
【手続補正１】
【補正対象書類名】実用新案登録請求の範囲
【補正対象項目名】全文
【補正方法】変更
【補正の内容】
【実用新案登録請求の範囲】
【請求項１】
Ｂｌｕｅｔｏｏｔｈ（登録商標）制御モジュールと、駆動モジュールと、シーケンス制御モジュールとをそれぞれに含み、互いに電気的に接続された複数の第１の制御装置、を備える第１の制御装置グループと、
前記複数の第１の制御装置のいずれか１つが電気的に接続された複数の第１のランプデバイスをそれぞれに含み、第１のエリアに配置される、第１のランプデバイスグループと、
前記複数の第１の制御装置のいずれか１つが電気的に接続された複数の第１のＢｌｕｅｔｏｏｔｈ（登録商標）赤外線制御装置を備える第１のＢｌｕｅｔｏｏｔｈ（登録商標）赤外線制御装置グループと、
Ｂｌｕｅｔｏｏｔｈ（登録商標）制御モジュールと、駆動モジュールと、シーケンス制御モジュールとをそれぞれに含み、互いに電気的に接続された複数の第２の制御装置を備える、第２の制御装置グループと、
前記複数の第２の制御装置のいずれか１つが電気的に接続された複数の第２のランプデバイスをそれぞれに含み、第２のエリアに配置された第２のランプデバイスグループと、
前記複数の第２の制御装置のいずれか１つが電気的に接続された複数の第２のＢｌｕｅｔｏｏｔｈ（登録商標）赤外線制御装置をそれぞれに含む第２のＢｌｕｅｔｏｏｔｈ（登録商標）赤外線制御装置グループと、を具備する
マルチエリア式インテリジェント電化製品制御システムであって、
前記複数の第１の制御装置のそれぞれにおける前記シーケンス制御モジュールは、前記複数の第１の制御装置のそれぞれにおける前記Ｂｌｕｅｔｏｏｔｈ（登録商標）制御モジュール、及び前記複数の第１の制御装置のそれぞれにおける前記駆動モジュールに電気的に接続され、
前記複数の第２の制御装置のそれぞれにおける前記シーケンス制御モジュールは、前記複数の第２の制御装置のそれぞれにおける前記Ｂｌｕｅｔｏｏｔｈ（登録商標）制御モジュール及び前記複数の第２の制御装置のそれぞれにおける前記駆動モジュールに電気的に接続され、
前記第２の制御装置グループにおける任意の１つ前記第２の制御装置は、前記第１の制御装置グループにおける任意の１つ前記第１の制御装置に電気的に接続され、
前記複数の第１のＢｌｕｅｔｏｏｔｈ（登録商標）赤外線制御装置のそれぞれは、制御対象となる電気デバイスを制御するように第１の赤外線信号を送信し、前記複数の第２のＢｌｕｅｔｏｏｔｈ（登録商標）赤外線制御装置のそれぞれは、制御対象となる別の電気デバイスを制御するように第２の赤外線信号を送信し、
前記第１の制御装置グループ及び前記第２の制御装置グループはそれぞれ、サーバーと通信できるように接続され、
前記第１のエリアと前記第２のエリアとは、異なるエリアであり、
前記第１の制御装置グループ又は前記第２の制御装置グループにおいて、前記複数の第１の制御装置のそれぞれ、及び前記複数の第２の制御装置のそれぞれは、第１の通信経路、又は第２の通信経路を介して信号を伝送するように構成され、
前記サーバーは、移動装置から送信されたランプ制御信号を受信し、前記ランプ制御信号は、前記第１の制御装置グループ又は前記第２の制御装置グループに設けられる前記第１の通信経路を介して、少なくとも前記第１のランプデバイスグループにおける前記複数の第１のランプデバイスのいずれか１つ、前記第２のランプデバイスグループにおける前記複数の第２のランプデバイスのいずれか１つ、前記電気デバイス、又は前記別の電気デバイスを制御し、
前記サーバーは、前記移動装置から送信されたＢｌｕｅｔｏｏｔｈ（登録商標）制御信号を受信し、前記Ｂｌｕｅｔｏｏｔｈ（登録商標）制御信号は、前記第１の制御装置グループ又は前記第２の制御装置グループに設けられる前記第２の通信経路と、前記第１のＢｌｕｅｔｏｏｔｈ（登録商標）赤外線制御装置グループ又は第２のＢｌｕｅｔｏｏｔｈ（登録商標）赤外線制御装置グループとを介して、前記別の電気デバイスを制御する、ことを特徴とする、マルチエリア式インテリジェント電化製品制御システム。
【請求項２】
ゲートウェイデバイスを介して、前記Ｂｌｕｅｔｏｏｔｈ（登録商標）制御信号又は前記ランプ制御信号を前記第１の制御装置グループ又は前記第２の制御装置グループに送信する、請求項１に記載のマルチエリア式インテリジェント電化製品制御システム。
【請求項３】
前記第１の制御装置のそれぞれにおける前記シーケンス制御モジュールは、ＲＳ４８５シーケンス制御モジュール、又はＲＳ２３２シーケンス制御モジュールである、請求項１に記載のマルチエリア式インテリジェント電化製品制御システム。
【請求項４】
前記第１の制御装置のそれぞれは、自身の前記シーケンス制御モジュールによって別の前記第１の制御装置と電気的に接続し、前記第２の制御装置のそれぞれは、自身の前記シーケンス制御モジュールによって別の前記第２の制御装置と電気的に接続し、第１のＢｌｕｅｔｏｏｔｈ（登録商標）デバイスは、前記複数の第１の制御装置のいずれか１つにおける前記Ｂｌｕｅｔｏｏｔｈ（登録商標）制御モジュール又は前記複数の第１のＢｌｕｅｔｏｏｔｈ（登録商標）赤外線制御装置のいずれか１つに通信できるように接続される、請求項１に記載のマルチエリア式インテリジェント電化製品制御システム。
【請求項５】
前記第１のＢｌｕｅｔｏｏｔｈ（登録商標）赤外線制御装置グループにおける前記複数の第１のＢｌｕｅｔｏｏｔｈ（登録商標）赤外線制御装置は、それらと対応する電気的に接続されている前記複数の第１の制御装置によって駆動電源が提供される、請求項１に記載のマルチエリア式インテリジェント電化製品制御システム。